(57)【要約】【課題】データの読出し、改ざん防止が確実となり、電磁波遮断シートの厚さ、大きさが節約可能であり、データの読出しの有無が判別される状態で送付可能なＲＦＩＤカード送付用紙を得る。【解決手段】ＲＦＩＤカード送付用紙１は、金属シート領域１２を有する台紙１０と、金属シート領域１２に金属シート粘着剤２２を介して貼付けられた金属シート２１、擬似接着シート粘着剤３８を介して貼付けられた第２擬似接着シート３７と、擬似接着層３６を介して貼付けられた第１擬似接着シート３５と、インレイ粘着剤３４を介して貼付けられたインレイ３３と、表面シート粘着剤３２を介して貼付けられた表面シート３１が順に積層されている。【選択図】図１
0003119590.tif 000002
【実用新案登録請求の範囲】
【請求項１】
電磁的情報を記録したＲＦＩＤカード送付用紙において、
金属シート領域を有する台紙と、
前記台紙の前記金属シート領域に金属シート粘着剤を介して貼付けられた金属シートと、
前記金属シート上に擬似接着シート粘着剤を介して貼付けられた第２擬似接着シートと、第２擬似接着シート上に擬似接着層を介して貼付けられた第１擬似接着シートと、
第１擬似接着シート上にインレイ粘着剤を介して貼付けられた、ＩＣチップとアンテナを有するインレイと、
前記インレイ上に表面シート粘着剤を介して貼付けられた表面シートからなることを特徴とするＲＦＩＤカード送付用紙。
【請求項２】
請求項１に記載したＲＦＩＤカード送付用紙において、
第１擬似接着シートと前記インレイの間に、第１擬似接着シート上に間隔シート粘着剤を介して間隔シートが介在し、前記間隔シートは貫通穴を有し、前記貫通穴に前記インレイのＩＣチップが受容されることを特徴とする請求項１に記載したＲＦＩＤカード送付用紙。
【請求項３】
請求項１乃至２いずれか記載のＲＦＩＤカード送付用紙において、
前記台紙は前記金属シート領域に加えて、宛名記載領域を有することを特徴とする請求項１乃至２いずれか記載のＲＦＩＤカード送付用紙。
【請求項４】
ＲＦＩＤカード送付用紙を作成するための１組の作成具において、
台紙、金属シートラベルとカード前身体からなり、
前記台紙は金属シート領域を有するものであり、
前記金属シートラベルは、金属シートラベル剥離紙上に金属シート粘着剤を介して金属シートを貼付けられたものであり、
前記カード前身体は、カード前身体剥離紙上に擬似接着シート粘着剤を介して貼付けられた第２擬似接着シートと、第２擬似接着シート上に擬似接着層を介して貼付けられた第１擬似接着シートと、第１擬似接着シート上にインレイ粘着剤を介して貼付けられた、ＩＣチップとアンテナを有するインレイと、前記インレイ上に表面シート粘着剤を介して貼付けられた表面シートを有するものであることを特徴とするＲＦＩＤカード送付用紙を作成するための１組の作成具。
【請求項５】
請求項４に記載したＲＦＩＤカード送付用紙を作成するための１組の作成具において、
前記カード前身体は、第１擬似接着シートと前記インレイの間に、第１擬似接着シート上に間隔シート粘着剤を介して間隔シートが介在し、前記間隔シートは貫通穴を有し、前記貫通穴に前記インレイのＩＣチップが受容されていることを特徴とする請求項４に記載したＲＦＩＤカード送付用紙を作成するための１組の作成具。
【請求項６】
請求項４乃至５いずれかに記載したＲＦＩＤカード送付用紙を作成するための１組の作成具において、
前記台紙は前記金属シート領域に加えて、宛名記載領域を有することを特徴とする請求項４乃至５いずれかに記載したＲＦＩＤカード送付用紙を作成するための１組の作成具。
【考案の詳細な説明】
【技術分野】
【０００１】
本考案は、ＲＦＩＤカードを郵送などにより送付するための送付手段に関するものである。
【背景技術】
【０００２】
ＲＦＩＤは、ＩＣタグ、ＲＦタグ、無線タグ、電子タグなどとも呼ばれるもので、これを貼り付けされた物などと、その物に関する情報を一体化させるなどの目的で使用される。インレイとはＰＥＴなどの基材フィルム上にアンテナとアンテナに連結されたＩＣチップが固定されたＲＦＩＤの回路単位をいう。
【０００３】
ＲＦＩＤカードは無線通信によりデータの読出し、書込みが可能であるために、従来、郵送などによる送付時にデータの読出し、改ざんなどを防止する手段が提案されている。
【０００４】
例えば、従来の非接触型ＩＣカード送付方法は、非接触型ＩＣカードと電磁波遮断用基材シートを重ね合わせた状態で包装袋内に挿入し、当該包装袋をさらに送付用封筒内に封緘する方法が提案されている（例えば、特許文献１参照）。
【０００５】
また、従来の非接触型ＩＣカード送付手段として、カード台紙と電磁波遮断シートを封筒内に収納した非接触型ＩＣカード送付用封筒が提案されている（例えば、特許文献２参照）。
【特許文献１】特開２００５−７５４５４号公報
【特許文献２】実登３０６６２１４号公報
【考案の開示】
【考案が解決しようとする課題】
【０００６】
金属などによるＲＦＩＤの通信を妨げる効果は、ＲＦＩＤカードと金属が密着した場合にその効果が最大となり、距離が離れると通信を妨げる効果が小さくなる。
【０００７】
従来の包装袋や封筒内に、ＲＦＩＤカードと電磁波遮断シートを重ねて入れる手段では、ＲＦＩＤカードと電磁波遮断シートの密着は必ずしも達成されない。
また、従来の包装袋や封筒内に、ＲＦＩＤカードと電磁波遮断シートを重ねて入れる手段では、ＲＦＩＤカードと電磁波遮断シートの位置関係がずれる場合があり、同様に、通信を妨げる効果の完全性に疑問が残る。
さらに、例えば、イベントの無料招待券をＲＦＩＤカードにして送付するなどのＲＦＩＤカードの送付にあっては、データの読出しの有無が判別される状態でＲＦＩＤカードの送付が行われれば十分な場合がある。
【０００８】
そこで、本考案は、データの読出し、改ざん防止が確実となり、電磁波遮断シートの厚さ、大きさが節約可能なＲＦＩＤカードの送付用紙を得ることを課題とする。また、本考案は簡易な手段により、データの読出しの有無が判別される状態で送付可能なＲＦＩＤカード送付用紙を得ることを課題とする。
【０００９】
また、本考案は、上記のようなＲＦＩＤカードの送付用紙を作成するための作成具を得ることを目的とする。
【００１０】
本考案のその他の課題は、本考案の説明により明らかになる。
【課題を解決するための手段】
【００１１】
本考案の一の態様にかかるＲＦＩＤカード送付用紙は、電磁的情報を記録したＲＦＩＤカード送付用紙において、金属シート領域を有する台紙と、前記台紙の前記金属シート領域に金属シート粘着剤を介して貼付けられた金属シートと、前記金属シート上に擬似接着シート粘着剤を介して貼付けられた第２擬似接着シートと、第２擬似接着シート上に擬似接着層を介して貼付けられた第１擬似接着シートと、第１擬似接着シート上にインレイ粘着剤を介して貼付けられた、ＩＣチップとアンテナを有するインレイと、前記インレイ上に表面シート粘着剤を介して貼付けられた表面シートからなることを特徴とする。
【００１２】
本考案にかかるＲＦＩＤカード送付用紙の好ましい実施態様にあっては、第１擬似接着シートと前記インレイの間に、第１擬似接着シート上に間隔シート粘着剤を介して間隔シートが介在し、前記間隔シートは貫通穴を有し、前記貫通穴に前記インレイのＩＣチップが受容されるものであってもよい。
【００１３】
本好ましい実施態様にあっては、インレイの表面から突出しているＩＣチップが間隔シートにより保護されている。したがって、郵送・配送時、用紙からのＲＦＩＤカード引き剥がし時、ＲＦＩＤカード使用時などの機械的衝撃に起因するＩＣチップの破損が防止される。特に、郵送・配送を目的とする本考案にかかるＲＦＩＤカード送付用紙に相応しい。
【００１４】
本考案にかかるＲＦＩＤカード送付用紙の他の好ましい実施態様にあっては、前記台紙は前記金属シート領域に加えて、宛名記載領域を有するものであってもよい。
【００１５】
本好ましい実施態様にあっては、台紙上の宛名記載領域に宛名を記載でき、葉書にしてＲＦＩＤカード送付用紙の送付が可能となる。あるいは、封書にしてＲＦＩＤカード送付用紙を送付する場合であっても、窓付き封筒を選択すれば、封筒表面に宛名記入の手間を省略することが可能となる。
【００１６】
本考案の他の態様にかかるＲＦＩＤカード送付用紙を作成するための１組の作成具は、ＲＦＩＤカード送付用紙を作成するための１組の作成具において、台紙、金属シートラベルとカード前身体からなり、前記台紙は金属シート領域を有するものであり、前記金属シートラベルは、金属シートラベル剥離紙上に金属シート粘着剤を介して金属シートを貼付けられたものであり、前記カード前身体は、カード前身体剥離紙上に擬似接着シート粘着剤を介して貼付けられた第２擬似接着シートと、第２擬似接着シート上に擬似接着層を介して貼付けられた第１擬似接着シートと、第１擬似接着シート上にインレイ粘着剤を介して貼付けられた、ＩＣチップとアンテナを有するインレイと、前記インレイ上に表面シート粘着剤を介して貼付けられた表面シートを有するものである。
【００１７】
本考案にかかるＲＦＩＤカード送付用紙を作成するための１組の作成具の、好ましい実施態様にあっては、前記カード前身体は、第１擬似接着シートと前記インレイの間に、第１擬似接着シート上に間隔シート粘着剤を介して間隔シートが介在し、前記間隔シートは貫通穴を有し、前記貫通穴に前記インレイのＩＣチップが受容されていてもよい。
【００１８】
本好ましい実施態様にあっては、カード前身体におけるインレイの表面から突出しているＩＣチップが間隔シートにより保護されている。このため、カード前身体へのデータ書込みや、当該データの検査にあたり、機械的衝撃に起因するＩＣチップの破損が防止される。また、当該作成具を使用して作成したＲＦＩＤカードは、郵送・配送時、用紙からのＲＦＩＤカード引き剥がし時、ＲＦＩＤカード使用時などの機械的衝撃に起因するＩＣチップの破損が防止される。
【００１９】
本考案にかかるＲＦＩＤカード送付用紙を作成するための１組の作成具の、他の好ましい実施態様にあっては、前記台紙は前記金属シート領域に加えて、宛名記載領域を有するものであってもよい。
【００２０】
本好ましい実施態様にかかる作成具を用いて作成したＲＦＩＤカード送付用紙は、台紙上の宛名記載領域に宛名を記載でき、葉書にしてＲＦＩＤカード送付用紙の送付が可能となる。あるいは、封書にしてＲＦＩＤカード送付用紙を送付する場合であっても、窓付き封筒を選択すれば、封筒表面に宛名記入の手間を省略することが可能となる。
【００２１】
以上説明した本考案、本考案の好ましい実施態様、これらに含まれる構成要素は可能な限り組み合わせて実施することができる。
【考案の効果】
【００２２】
本考案にかかるＲＦＩＤカード送付用紙は、金属シートとインレイが密着し、かつ両者の位置関係が固定されている。このため、データの読出し、改ざん防止が確実となる。同様な理由により、電磁波遮断のために用いる金属シートの厚さ、大きさが最小限となる。
【００２３】
本考案にかかるＲＦＩＤカード送付用紙から、ＲＦＩＤカードのデータを読出し改ざんするために、ＲＦＩＤカードを剥離する場合には、擬似接着層が剥離する。このため、一端剥離したＲＦＩＤカードを元のＲＦＩＤカード送付用紙に貼り付けることは不可能となる。このため、郵送・配送中でのデータの読出しの有無が判別される。
【００２４】
本考案の好ましい態様にかかるＲＦＩＤカード送付用紙は、封筒に封入して送付してもよく、葉書にして送付することも可能である。葉書は、より安価、簡易な配送方法であり、かならずしも、高額な送料と手数をかけて封書にして送付しなくてもよい場合に、送付方法の選択が広がる効果がある。
【００２５】
本考案にかかるＲＦＩＤカードの送付用紙を作成するための作成具は、上述した効果を有する、ＲＦＩＤカードの送付用紙を作成することができる効果を有する。また、当該作成具は市販材料を使用して作成することができ、結果としてＲＦＩＤカードの送付用紙を安価に作成できる。
【考案を実施するための最良の形態】
【００２６】
以下、図面を参照して本考案の実施例にかかるＲＦＩＤカード送付用紙、ＲＦＩＤカード送付用紙を作成するための１組の作成具をさらに説明する。本考案の実施例に記載した部材や部分の寸法、材質、形状、その相対位置などは、とくに特定的な記載のない限りは、この考案の範囲をそれらのみに限定する趣旨のものではなく、単なる説明例にすぎない。
【００２７】
図１はＲＦＩＤカード送付用紙１の断面説明図であり、図２はカード前身体３０の斜視説明図であり、図３は金属シートラベル２０の斜視説明図である。図１、図２及び図３は、理解と図示の容易化のために、厚さ方向を拡大して図示している。また、図４は台紙１０の平面説明図である。
【００２８】
まず、ＲＦＩＤカード送付用紙１の構成を説明する。ＲＦＩＤカード送付用紙１は台紙１０の上に形成される。図４を参照して、台紙１０は金属シート領域１１と宛名記載領域１３を有する。台紙１０の一方表面に金属シート領域１１が存在し、台紙１０の他方表面に宛名記載領域１３が存在していてもよい。また、台紙１０の一方表面に金属シート領域１１と宛名記載領域１３が存在してもよい。ただし、台紙１０の一方表面に金属シート領域１１と宛名記載領域１３が存在する場合には、金属シート領域１１と宛名記載領域１３が重なりあうことはない。
【００２９】
図１を参照して、台紙１０の金属シート領域（当該金属シート領域を矢印１２で示している）に、金属シート粘着剤２２を介して金属シート２１が貼付けられている。金属シート２１上に擬似接着シート粘着剤３８を介して第２擬似接着シート３７が貼付けられている。第２擬似接着シート３７上に擬似接着層３６を介して第１擬似接着シート３５が貼付けられている。第１擬似接着シート３５上にインレイ粘着剤３４を介してインレイ３３が貼付けられている。さらに、インレイ３３上に表面シート粘着剤３２を介して表面シート３１が貼付けられている。
【００３０】
インレイ３３は第１擬似接着シート３５、表面シート３１よりも一回り小さく、表面シート粘着剤３２とインレイ粘着剤３４は、周辺部分で接触している。ＲＦＩＤカード送付用紙１上のインレイ３３は、電磁情報が記録されている。
【００３１】
金属シート２１は、ＲＦＩＤカードの電磁波による通信を妨害するものである。金属シート２１は紙基材の上に金属箔を形成したものであってもよく、ポリエチレンテレフタレート（ＰＥＴ）などの合成樹脂シートの上に金属薄膜層を蒸着したものであってもよい。当該金属として、アルミニウム、銀、銅、鉄、ニッケル、これらの金属の酸化物を挙げることができる。アルミニウムが価格、入手の容易性などから好ましい。金属シート２１はその金属面を表紙３１側に配置してもよく、また、その金属面を台紙１０側に配置してもよい。
【００３２】
擬似接着層３６で接着された第１擬似接着シート３５と第２擬似接着シート３７は、公知の擬似接着シートである。例えば、ポリエチレンシートなど第２擬似接着シートの上に、溶融したポリエチレンテレフタレートを押し出して第１擬似接着シートとすることにより得られる。第２擬似接着シートはポリプロピレン等の合成樹脂シートあるいは紙であってもよい。第１擬似接着シートは、ポリエチレン、ポリプロピレンなどのシートであってもよい。
【００３３】
インレイ３３は、樹脂フィルム（厚さ３８μｍのＰＥＴフィルム）上に接着剤を塗布し、アルミニウムを含むインキを用いてスクリーン印刷により渦巻き状のアンテナを形成する。さらに当該アンテナにＩＣチップを導電的に接続・固定したものである。インレイ３３は、上記基本的構成に、さらに片面及び／又は両面に、合成紙、ＥＶＡ、ＰＥＴシートなどが積層されていてもよい。
【００３４】
インレイ３３はその他の材料、製造方法などで製造されたものでもよい。例えば、樹脂フィルムは、ポリイミドフィルム、ＰＢＴフィルムであってもよい。アンテナの形状は、例えばダイポールアンテナであってもよい。アンテナの材質は例えば、銅であってもよい。銅箔のアンテナは、樹脂フィルムの上に銅箔層を形成し、レジストを用いてエッチングにより形成してもよく、アンテナ形状の銅箔をプレスなどにより樹脂フィルム上に貼り付けてもよい。
【００３５】
表面シート３１の材質に特に制限はないが、表面に印刷が可能なことから、紙、インク受容加工をした合成樹脂シートなどが好ましい。
【００３６】
ＲＦＩＤカード送付用紙１は、必要に応じて宛名記載領域（当該宛名記載領域を矢印１４で示している）に送付先情報を記入し、切手を貼付ける、封筒に封入するなどして、郵送その他の手段で配送される。
【００３７】
ＲＦＩＤカード送付用紙１から積層物を剥離すると、擬似接着層３６が剥離し、表面シート、インレイと第１擬似接着シートからなるＲＦＩＤカード６が取り出される。このＲＦＩＤカード６は金属シートとの密着状態が解除されるので、電磁波を用いてデータの読出し、書込みが自由となる。一端、ＲＦＩＤカード６が取り出されると、再度ＲＦＩＤカード送付用紙１の状態に戻すことは不可能であり、このような事故が生じた場合には、受取人は瞬時に事故を把握することができる。
【００３８】
続いて、ＲＦＩＤカード送付用紙を作成するための１組の作成具を説明する。図２を参照してカード前身体３０は、カード前身体剥離紙３９の上に、擬似接着シート粘着剤３８を介して第２擬似接着シート３７が貼付けられている。その上に積層されている第１擬似接着シート３５、インレイ３３及び表面シート３１の構成は、図１を参照して説明したＲＦＩＤカード送付用紙１と同様である。
【００３９】
図３を参照して、金属シートラベル２０は金属シートラベル剥離紙２３の上に、金属シート粘着剤２２を介して金属シート２１が貼付けられている。台紙１０はＲＦＩＤカード送付用紙１の台紙と同一である。
【００４０】
１組の作成具をもちいて、ＲＦＩＤカード送付用紙を作成するには、まず、台紙１０の宛名記載領域１３に送付先情報を書き込む（印刷する）。次に、金属シートラベル２０の金属シートラベル剥離紙２３を取り除いて、台紙１０の金属シート領域１１に貼り付ける。金属シートの貼付けを先行し、その後に送付先情報を印刷してもよい。
【００４１】
一方、カード前身体３０のインレイに電磁情報を記録する。当該記録と同時に（あるいは記録後に）、表面シート３１に、カードの属性、電磁情報を特定するための情報を書き込み（印刷）してもよい。通常は、電磁情報記録後に、カード前身体３０中のインレイの動作やデータを確認する検査を行う。当該検査は、ＲＦＩＤカード送付用紙作成の最終工程の直前に行うので、検査の確実性が増す。
【００４２】
その後、カード前身体３０のカード前身体剥離紙３９を取り除き、台紙１０上に貼付けられた金属シート上にカード前身体３０を貼り付けて、ＲＦＩＤカード送付用紙が完成する。
【００４３】
金属シート２１はカード前身体３０よりも一回り大きく、カード前身体３０貼付け時の位置決めを容易にしている。ただし、金属シート２１は、ＲＦＩＤの電磁波による通信を妨げるものであり、この役目が果たされるものであれば、カード前身体３０よりも小さなものであってもよい。金属ラベル２０は市販されているラベルであり、安価に調達することができる。
【００４４】
図５は、本考案の好ましい実施例である、インレイ３３と第１擬似接着シート３５の間に間隔シート６１を介在させたＲＦＩＤカード送付用紙１（及びカード前身体３０）の部分説明図である。
【００４５】
インレイ３３は、アンテナ３３２とＩＣチップ３３１を有している。ＩＣチップ３３１はインレイ３３の下側表面から下方に突出している。間隔シート６１は貫通穴６３を有している。矢印７１に示すようにインレイ３３と間隔シート６１は、重ね合わせてインレイ粘着剤３４により貼付けられる。矢印７２で、貫通穴６３にＩＣチップ３３１が受容されることを示している。
【００４６】
間隔シート６１の下面には、図示しない間隔シート粘着剤が塗布され、ＲＦＩＤカード送付用紙（及びカード前身体３０）中の第１擬似接着シート３５の上に貼付けられる。
【産業上の利用可能性】
【００４７】
本考案にかかるＲＦＩＤカード送付用紙は、例えば、ＲＦＩＤカードを郵送などにより送付するための送付手段として利用することができる。
【図面の簡単な説明】
【００４８】
【図１】ＲＦＩＤカード送付用紙１の断面説明図である。
【図２】カード前身体３０の斜視説明図である。
【図３】金属シートラベル２０の斜視説明図である。
【図４】台紙１０の平面説明図である。
【図５】インレイ３３と第１擬似接着シート３５の間に間隔シート６１を介在させたＲＦＩＤカード送付用紙１（及びカード前身体３０）の部分説明図である。
【符号の説明】
【００４９】
１  ＲＦＩＤカード送付用紙
６  ＲＦＩＤカード
１０  台紙
１１  金属シート領域
１３  宛名記載領域
２０  金属シートラベル
２１  金属シート
２２  金属シート粘着剤
２３  金属シートラベル剥離紙
３０  カード前身体
３１  表面シート
３２  表面シート粘着剤
３３  インレイ
３４  インレイ粘着剤
３５  第１擬似接着シート
３６  擬似接着層
３７  第２擬似接着シート
３８  擬似接着シート粘着剤
３９  カード前身体剥離紙
６１  間隔シート
６３  貫通穴
３３１  ＩＣチップ
３３２  アンテナ
【図１】
0003119590.tif 000003
【図２】
0003119590.tif 000004
【図３】
0003119590.tif 000005
【図４】
0003119590.tif 000006
【図５】
0003119590.tif 000007